(57)【特許請求の範囲】
【請求項１】
軸方向割りみぞを有する円筒状ホルダの外周に環状回転刃を取り付け、前記ホルダを回転軸に嵌合するとともに、前記ホルダの割りみぞの両側部分のうち、一方側の部分に透孔を形成し、他方側の部分にねじ孔を形成し、締付ビスを前記透孔に挿入し、前記ねじ孔にねじ合わせ、前記締付ビスによって前記ホルダを締め付け、その内径を減少させ、前記ホルダを前記回転軸に固定するようにした装置において、ストッパを前記ホルダに設け、前記透孔に固定し、前記締付ビスのヘッドにその軸方向に対向させるとともに、前記ストッパの中央に前記締付ビスのヘッドよりも小さい開孔を形成し、前記開孔から前記締付ビスを操作し、前記ストッパによって前記締付ビスの変位を制限するようにしたことを特徴とする回転刃ホルダ固定装置。
【発明の詳細な説明】
【０００１】
【産業上の利用分野】
この発明は、たとえば、紙、プラスチックフィルムなどの連続ウエブを複数条にスリットするスリッタにおいて、その回転刃のホルダを回転軸に固定する回転刃ホルダ固定装置に関するものである。
【０００２】
【従来技術とその問題点】
回転刃式スリッタでは、紙、プラスチックフィルムなどの連続ウエブが多数の回転刃に導かれる。回転刃は間隔を置いて配置され、回転軸に支持され、回転軸と一体的に回転する。したがって、各回転刃が連続ウエブに作用し、連続ウエブが複数条にスリットされる。そのスリット幅は回転刃の間隔に対応する。したがって、各回転刃を回転軸に沿って移動させ、あらかじめ回転刃の間隔を調整し、これによって連続ウエブのスリット幅を選定することができる。連続ウエブのスリット幅を随時変更することもできる。
【０００３】
各回転刃に上刃と下刃が使用されることも多い。この場合、上刃は薄い環状のもので、これを回転軸に直接取り付けることはできない。したがって、普通、円筒状ホルダの外周に上刃が取り付けられ、ホルダが回転軸に嵌合される。ホルダは軸方向割りみぞを有する。さらに、ホルダの割りみぞの両側部分のうち、一方側の部分に透孔が形成され、他方側の部分にねじ孔が形成され、締付ビスが透孔に挿入され、ねじ孔にねじ合わされる。したがって、締付ビスによってホルダを締め付け、その内径を減少させ、これを回転軸に固定することができる。したがって、各上刃を回転軸と一体的に回転させ、これによって連続ウエブをスリットすることができる。
【０００４】
さらに、上刃およびホルダを回転軸に沿って移動させ、これによって上刃の間隔を調整することもできる。したがって、連続ウエブのスリット幅を適宜選定することができ、随時変更することもできる。しかしながら、従来はその作業にともなう問題があった。ホルダを回転軸に沿って移動させるには、その固定状態を一旦解除する必要があるが、ホルダの固定後、締付ビスをゆるめても、それによってホルダの内径が拡大されるわけではなく、その固定状態は解除されない。このため、マイナスドライバをホルダの割りみぞに差し込み、これによってホルダの内径を拡大し、その固定状態を解除し、ホルダを回転軸に沿って移動させていたが、マイナスドライバを差し込んだ状態でホルダを移動させねばならず、面倒である。しかも、各上刃毎に、マイナスドライバをその割りみぞに差し込まねばならず、その作業は容易ではないという問題があったものである。
【０００５】
【発明の目的】
したがって、この発明は、上刃などの回転刃のホルダにおいて、締付ビスによってホルダを締め付け、その内径を減少させ、ホルダを回転軸に固定することができ、締付ビスをゆるめると、それだけでホルダの内径が拡大され、その固定状態が解除され、ホルダを回転軸に沿って移動させることができるようにすることを目的としてなされたものである。
【０００６】
【発明の構成】
この発明によれば、軸方向割りみぞを有する円筒状ホルダの外周に環状回転刃を取り付け、前記ホルダを回転軸に嵌合するとともに、前記ホルダの割りみぞの両側部分のうち、一方側の部分に透孔を形成し、他方側の部分にねじ孔を形成し、締付ビスを前記透孔に挿入し、前記ねじ孔にねじ合わせ、前記締付ビスによって前記ホルダを締め付け、その内径を減少させ、前記ホルダを前記回転軸に固定するようにした装置において、ストッパを前記ホルダに設け、前記透孔に固定し、前記締付ビスのヘッドにその軸方向に対向させるとともに、前記ストッパの中央に前記締付ビスのヘッドよりも小さい開孔を形成し、前記開孔から前記締付ビスを操作し、前記ストッパによって前記締付ビスの変位を制限するようにしたことを特徴とする回転刃ホルダ固定装置が提供される。
【０００７】
【実施例の説明】
以下、この発明の実施例を説明する。
【０００８】
図１において、これはスリッタの回転刃である。このスリッタでは、回転刃として上刃１と下刃２が使用され、多数の上刃１が間隔を置いて配置され、その回転軸３に支持され、回転軸３と一体的に回転する。下刃２についても、多数の下刃２が間隔を置いて配置され、その回転軸に支持されており、回転軸と一体的に回転する。さらに、紙、プラスチックなどの連続ウエブが上刃１と下刃２間に導かれ、上刃１と下刃２によって連続ウエブがスリットされる。したがって、連続ウエブを複数条にスリットすることができ、そのスリット幅は上刃１および下刃２の間隔に対応する。
【０００９】
上刃１は薄い環状のもので、円筒状ホルダ４の外周にそれが取り付けられており、ホルダ４は回転軸３に嵌合されている。さらに、カラー５がホルダ４に取り付けられ、リング状スプリング６がカラー５と上刃１間に設けられ、スプリング６によって上刃１が弾性保持されている。
【００１０】
図２に示すように、ホルダ４は軸方向割りみぞ７を有する。さらに、ホルダ４の割りみぞ７の両側部分８，９のうち、一方側の部分８に透孔１０が形成され、他方側の部分９にねじ孔１１が形成され、締付ビス１２が透孔１０に挿入され、ねじ孔１１にねじ合わされている。さらに、締付ビス１２にヘッド１３が設けられ、透孔１０に環状肩が形成されており、その肩にヘッド１３が係合する。したがって、締付ビス１２を一方向に回転させ、締付ビス１２によってホルダ４を締め付け、その内径を減少させることができ、ホルダ４を回転軸３に固定することができる。したがって、各上刃１を回転軸３と一体的に回転させ、これによって連続ウエブをスリットすることができるものである。
【００１１】
さらに、ストッパ１４がホルダ４に設けられている。この実施例では、透孔１０にねじみぞが形成され、ストッパ１４として環状体が使用され、これが透孔１０にねじ込まれ、固定されており、ストッパ１４は締付ビス１２のヘッド１３にその軸方向に対向する。さらに、ストッパ１４の中央に開孔１５が形成されている。開孔１５は締付ビス１２のヘッド１３よりも小さい。
【００１２】
なお、下刃２は一定幅の環状のもので、その回転軸に適宜取り付けられているのは従来と同様である。
【００１３】
したがって、この装置において、たとえば、マイナスまたはプラスドライバをストッパ１４の開孔１５に挿入すると、マイナスまたはプラスドライバを締付ビス１２のヘッド１３に係合させることができる。したがって、ストッパ１４の開孔１５から締付ビス１２を操作することができ、マイナスまたはプラスドライバによって締付ビス１２を回転させることができる。
【００１４】
さらに、上刃１およびホルダ４を回転軸３に沿って移動させるとき、マイナスまたはプラスドライバをストッパ１４の開孔１５に挿入し、締付ビス１２を逆方向に回転させ、これによって締付ビス１２をゆるめると、締付ビス１２がねじ孔１１内で後退する。さらに、透孔１０内において、締付ビス１２のヘッド１３がストッパ１４に押し付けられ、ストッパ１４によって締付ビス１２の変位が制限される。したがって、締付ビス１２によってホルダ４の割りみぞ７が開かれ、その内径が拡大され、これによってホルダ４の固定状態が解除される。
【００１５】
したがって、締付ビス１２をゆるめると、それだけでホルダ４の内径が拡大され、その固定状態が解除されるものである。したがって、ホルダ４を回転軸３に沿って移動させ、上刃１の間隔を任意に調整することができる。その作業は容易である。その後、マイナスまたはプラスドライバをストッパ１４の開孔１５に挿入し、締付ビス１２によってホルダ４を締め付け、これを回転軸３に固定することができる。したがって、連続ウエブのスリット幅を適宜選定することができ、随時変更することもできる。
【００１６】
【発明の効果】
以上説明したように、この発明によれば、上刃１などの回転刃のホルダ４において、締付ビス１２によってホルダ４を締め付け、その内径を減少させ、ホルダ４を回転軸３に固定することができる。さらに、締付ビス１２をゆるめると、それだけでホルダ４の内径が拡大され、その固定状態が解除される。したがって、ホルダ４を回転軸３に沿って移動させ、回転刃の間隔を任意に調整することができ、その作業は容易であり、所期の目的を達成することができるものである。
【図面の簡単な説明】
【図１】この発明の実施例を示す縦断面図である。
【図２】図１の装置の横断面図である。
【符号の説明】
１  上刃
３  回転軸
４  ホルダ
７  割りみぞ
１０  透孔
１１  ねじ孔
１２  締付ビス
１３  ヘッド
１４  ストッパ
１５  開孔
【図１】
0003585279.tif 000002
【図２】
0003585279.tif 000003